(57)【要約】【課題】低コスト化を図ることができるチェストを提供する。【解決手段】引出１３底面１１１の左右側縁に凹部１１２を形成し、各凹部１１２を側面１０１側へ開口する。各凹部１１２によって各側面１０１に段差部を形成し、各段差部でチェスト本体１２に設けられたローラー９２で支持される引出側レール１１３を一体形成する。各凹部１１２が構成する凹部側面１２１の後端部に、例えばフレーム構成部材２１に形成された溝状の取付部７３と同構造の取付部１２２を設け、取付部１２２にローラー９２を備えた支持部品８０を挿入した状態で固定する。【選択図】図５
2008000234.tif 000002
【特許請求の範囲】
【請求項１】
チェスト本体に収容される引出に引出側レールが設けられたチェストにおいて、
前記引出の底面に凹部を延設して前記引出側レールを構成したことを特徴とするチェスト。
【請求項２】
前記チェスト本体に転動自在に支持される転動部材を前記凹部に設けたことを特徴とする請求項１記載のチェスト。
【請求項３】
前記転動部材を前記引出と別部材で構成するとともに、前記引出に前記転動部材を取り付けたことを特徴とする請求項２記載のチェスト。
【請求項４】
前記凹部を、前記引出の両側縁に形成したことを特徴とする請求項１、２又は３記載のチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
前記引出には、引出側レールが取り付けられており、チェスト本体のフレームに設けられたローラに支持されるように構成されている。
【０００５】
これにより、前記引出の移動をスムーズに行えるように構成されている。
【発明の開示】
【発明が解決しようとする課題】
【０００６】
しかしながら、このようなチェストにおいては、前記引出と前記引出側レールとが別部材で構成されており、コスト高要因となっていた。
【０００７】
本発明は、このような従来の課題に鑑みてなされたものであり、低コスト化を図ることができるチェストを提供することを目的とするものである。
【課題を解決するための手段】
【０００８】
前記課題を解決するために本発明の請求項１のチェストにあっては、チェスト本体に収容される引出に引出側レールが設けられたチェストにおいて、前記引出の底面に凹部を延設して前記引出側レールを構成した。
【０００９】
すなわち、前記引出の底面に凹部が延設されることによって前記引出側レールが前記引出に一体形成される。
【００１０】
このため、前記引出と別部材からなる引出側レールが不要となる。
【００１１】
そして、前記引出に、別部材からなる引出側レールを取り付けるといった手間が省ける。
【００１２】
また、請求項２のチェストにおいては、前記チェスト本体に転動自在に支持される転動部材を前記凹部に設けた。
【００１３】
これにより、前記引出は、前記凹部に設けられた前記転動部材によって前記チェスト本体に転動自在に支持される。
【００１４】
さらに、請求項３のチェストでは、前記転動部材を前記引出と別部材で構成するとともに、前記引出に前記転動部材を取り付けた。
【００１５】
これにより、前記転動部材を前記引出と別部材で構成することによって、前記転動部材を前記引出に一体形成する場合と比較して、引出が容易に形成される。
【００１６】
加えて、請求項４のチェストにあっては、前記凹部を、前記引出の両側縁に形成した。
【００１７】
これにより、前記引出は、その両縁部が前記チェスト本体に支持される。
【発明の効果】
【００１８】
以上説明したように、本発明の請求項１のチェストにあっては、引出の底面に凹部を延設することによって、引出側レールを前記引出に一体形成することができる。
【００１９】
これにより、前記引出と別部材で構成された引出側レールが不要となり、前記引出と別部材かなる引出側レールを用意しなければならなかった従来と比較して、部材コストを抑えることができる。
【００２０】
そして、前記引出に引出側レールを取り付けていた従来と比較して、別部材からなる引出側レールを取り付けるといった取付工程を削減することができる。これにより、製造コストを抑えることができる。
【００２１】
したがって、チェスト全体として低コスト化を図ることができる。
【００２２】
また、請求項２のチェストにおいては、前記チェスト本体に転動自在に支持される転動部材を前記凹部に設けることによって、当該引出を、前記凹部に設けられた前記転動部材によって前記チェスト本体に転動自在に支持することができる。
【００２３】
これにより、引出の移動を、よりスムーズに行うことができる。
【００２４】
さらに、請求項３のチェストでは、前記転動部材を前記引出と別部材で構成して前記引出に前記転動部材を取り付けた。
【００２５】
これにより、前記転動部材を前記引出に一体形成する場合と比較して、引出の成型工程を簡素化することができる。
【００２６】
よって、製造コストを抑えることができる。
【００２７】
加えて、請求項４のチェストにあっては、前記凹部を前記引出の両側縁に形成したので、前記引出を、その両縁部にて支持することができる。
【００２８】
これにより、引出移動時での安定化を図ることができる。
【発明を実施するための最良の形態】
【００２９】
以下、本発明の一実施の形態を図に従って説明する。図１は、本実施の形態にかかるチェスト１を示す図であり、該チェスト１は、衣類や小物などを収納するものである。
【００３０】
このチェスト１は、図２にも示すように、フレーム１１を形成するチェスト本体１２と、該チェスト本体１２に設けられた矩形容器状の引出１３，１３とによって構成されている。
【００３１】
前記チェスト本体１２を形成する前記フレーム１１は、上下に連結された二つ合成樹脂製のフレーム構成部材２１，２１によって構成されており、下段のフレーム構成部材２１の底面２２裏側には、キャスター２３，・・・が四隅に設けられている。上段のフレーム構成部材２１には、合成樹脂製の天板２４が設けられており、両フレーム構成部材２１，２１間及び上段のフレーム構成部材２１と前記天板２４間には、合成樹脂製の前記引出１３，１３が引き出し自在に保持されている。
【００３２】
前記フレーム構成部材２１は、図３に示すように、中央部に矩形開口部３１が形成された長方形状の底板部３２と、該底板部３２の四隅に一体形成された支柱３３，・・・とによって構成されており、当該フレーム構成部材２１は、前記支柱３３，・・・の長さ方向に型開きされる金型によって形成されている。
【００３３】
該支柱３３は、四角柱状に形成されており、前記底板部３２に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４３が形成されている。下段のフレーム構成部材２１の支柱３３の挿入部４２は、上段のフレーム構成部材２１の支柱３３下部に挿入された状態で固定されており、上段のフレーム構成部材２１の支柱３３の挿入部４２は、前記天板２４に挿入された状態で固定されている。
【００３４】
そして、前記フレーム構成部材２１における前後の支柱３３，３３間には、フレーム側レール５１が設けられている。
【００３５】
すなわち、両支柱３３，３３間には、下部側壁面６１が両支柱３３，３３の下部に一体形成されており、該下部側壁面６１には、内側へ向けて突出した上方ガイド部６２が当該フレーム構成部材２１の前記底板部３２の底面２２に沿って形成されている。上方ガイド部６２は、その奥側に欠損した切欠部６５が設定されており、当該上方ガイド部６２は、奥側の支柱３３より手前側で終了するように構成されている。これにより、当該フレーム構成部材２１には、前記上方ガイド部６２と、該上方ガイド部６２に対向した前記底板部３２の対向部位が構成する下方ガイド部６３とによって、前記フレーム側レール５１が構成されている。
【００３６】
このフレー構成部材２１の支柱３３，３３の内側面には、内側に突出した突出部７１，７１が上端部から下端に渡って形成されており、前方Ｆ側に配置された支柱３３における前記突出部７１は、下端部において前方に延出している。この前方に突出した前方突出部７２には、上下に延在する溝状の取付部７３が形成されており、該取付部７３は、当該フレーム構成部材２１を形成する金型の金型移動方向７４に延在するとともに、当該金型が型抜き時に移動される方向と同方向である上方へ向けて開口するように構成されている。
【００３７】
この取付部７３の上方開口部８１からは、図４に示すように、転動部材を構成する支持部品８０が挿入された状態で固定されるように構成されている。
【００３８】
この支持部品８０を構成するベース部材８２は、合成樹脂によって形成されており、矩形状のベース本体８３と、該ベース本体８３より下方に延出した下方延出部８４とによって構成されている。該下方延出部８４の先端には、係合爪８５が設けられており、当該支持部品８０を、前記取付部７３に挿入した状態で、前記係止爪８５が前記底板部３２の底面２２に係合するように構成されている。このとき、前記取付部７３への前記ベース部材８３の抜き差し方向は、図３に示したように、前記金型移動方向７４と一致するように設定されている。
【００３９】
また、前記ベース本体８３には、図４に示したように、円形穴９１が設けられており、該円形穴９１には、転動部材としての金属製のローラー９２を挿通した軸部９３が固定されるように構成されている。これにより、当該ベース部材８２には、前記ローラー９２が回動自在に支持されており、当該ベース部材８２を、図３に示したように、前記取付部７３に固定した状態で、前記ローラー９２を前記フレーム側レール５１の延長上に配置できるように構成されている。
【００４０】
このフレーム構成部材２１の左右の支柱３３，・・・間に保持される前記引出１３は、合成樹脂によって形成されており、図５にも示すように、上方が開口した矩形容器状に形成されている。この引出１３は、上下方向に型開きされる金型によって成形されており、左右の側面１０１，１０１の横幅寸法及び前面１０２並びに後面１０３の奥行き寸法は、抜き勾配によって下方へ向かうに従って小さくなるように形成されている。これにより、対向した左右の側面１０１，１０１と、対向した前面１０２及び後面１０３は傾斜するとともに、内径寸法が上方へ向かうに従って広がるように設定されており、引出１３，１３同士を重ねて保管できるように構成されている。
【００４１】
この引出１３の底面１１１には、前後方向に延在する凹部１１２，１１２が左右側縁に形成されており、各凹部１１２，１１２は、前記各側面１０１，１０１側に開口している。これにより、前記各側面１０１，１０１には、前記各凹部１１２，１１２によって段差部が形成されており、各段差部によって前記チェスト本体１２の前記フレーム１１に設けられた前記支持部品８０のローラー９２で支持される引出側レール１１３，１１３が一体形成されている。
【００４２】
前記各凹部１１２，１１２が構成する凹部側面１２１，１２１の後端部には、例えば前記フレーム構成部材２１に形成された溝状の取付部７３と同構造（図３参照）の取付部１２２，１２２が設けられており（一方のみ図示）、当該取付部１２２，１２２には、前記支持部品８０が挿入された状態で固定されている。これにより、当該引出１３には、前記支持部品８０に設けられた前記ローラー９２が回転自在に設けられており、該ローラー９２は、前記引出側レール１１３の奥側に配置されるように構成されている。
【００４３】
なお、前記支持部品８０の取付方法は、これに限定されるものではなく、他の方法で取り付けても良い。
【００４４】
これにより、図６に示すように、前記引出１３より側方に突出した前記ローラー９２は、前記フレーム構成部材２１に設けられた前記フレーム側レール５１に案内される一方、前記フレーム構成部材２１に設けられた前記ローラー９２は、前記引出１３に設けられた前記引出側レール１１３に案内されるように構成されている。
【００４５】
そして、前記フレーム１１から前記引出１３を引き出す際には、前記フレーム構成部材２１に設けられた前記ローラー９２が前記引出１３に設けられた前記引出側レール１１３を支持する一方、前記引出１３が当該引出１３の荷重によって前のめりになった際には、該引出１３に設けられた前記ローラー９２が前記フレーム構成部材２１に形成された前記フレーム側レール５１の前記上方ガイド部６２に支持されるように構成されている（図示省略）。さらに、前記引出１３を引き出した際には、図７に示すように、前記引出１３側のローラー９２が前記フレーム側レール５１から離脱することによって、当該引出１３をチェスト本体１２から取り出せるように構成されている。
【００４６】
以上の構成にかかる本実施の形態において、前記引出１３の底面１１１には、凹部１１２，１１２が延設されており、これによって当該引出１３には、前記引出側レール１１３，１１３が一体形成されている。
【００４７】
このため、前記引出１３と別部材からなる引出側レールが不要となり、前記引出１３と別部材かなる引出側レールを用意しなければならなかった従来と比較して、部材コストを抑えることができる。
【００４８】
そして、前記引出１３に引出側レールを取り付けていた従来と比較して、別部材からなる引出側レールを取り付けるといった取付工程を削減することができる。これにより、製造コストを抑えることができる。
【００４９】
したがって、チェスト１全体として低コスト化を図ることができる。
【００５０】
また、前記凹部１１２，１１２内には、前記チェスト本体１２に転動自在に支持されるローラー９２を有した支持部品８０，８０が設けられており、当該引出１３を、前記凹部１１２，１１２に設けられた前記支持部品８０，８０のローラー９２を介して前記チェスト本体１２に転動自在に支持することができる。
【００５１】
これにより、前記引出１３の移動を、よりスムーズに行うことができる。
【００５２】
さらに、前記支持部品８０，８０は、前記引出１３と別部材で構成されており、この支持部品８０，８０は、前記引出１３の取付部１２２，１２２に取り付けられている。
【００５３】
このため、前記支持部品８０，８０に設けられた金属製のローラー９２を前記引出１３に一体形成する場合と比較して、引出１３の成型工程を簡素化することができる。
【００５４】
よって、製造コストを抑えることができる。
【００５５】
加えて、前記凹部１１２，１１２を前記引出１３の両側縁に形成することによって、前記引出側レール１１３，１１３を前記引出１３の両側縁に設けたので、当該引出１３を、その両縁部にて支持することができる。
【００５６】
これにより、引出１３移動時での安定性を高めることができる。
【図面の簡単な説明】
【００５７】
【図１】本発明の一実施の形態の正面を示す一部断面図である。
【図２】同実施の形態の側面図である。
【図３】同実施の形態のフレームを示す断面図である。
【図４】同実施の形態の支持部品を分解断面図である。
【図５】同実施の形態の引出を示す模式図である。
【図６】同実施の形態の動作を示す説明図である。
【図７】図６に続く動作を示す説明図である。
【符号の説明】
【００５８】
１    チェスト
１１    フレーム
１２    チェスト本体
１３    引出
８０    支持部品
９２    ローラー
１１１    底面
１１２    凹部
１１３    引出側レール
１２２    取付部
【図１】
2008000234.tif 000003
【図２】
2008000234.tif 000004
【図３】
2008000234.tif 000005
【図４】
2008000234.tif 000006
【図５】
2008000234.tif 000007
【図６】
2008000234.tif 000008
【図７】
2008000234.tif 000009